(57)【要約】  【課題】多彩な役物動作を実現することができる遊技機を提供する。  【解決手段】動作切換機構３６は、駆動機構３５により第１、第２，第３可動役物３２，３３，３４を第１位置Ｐ１と第２位置Ｐ２間で一体的に移動可能にする第１状態と、駆動機構３５により第１可動役物３２を第１位置Ｐ１から第２位置Ｐ２へ移動させる際に、第２，第３可動役物３３，３４を第１位置Ｐ１と第２位置Ｐ２間の上途中位置Ｐｗ１、下途中位置Ｐｗ２に停止させ第１可動役物３２から分離可能にする第２状態とに切換え可能に構成されている。【選択図】  図２４
2014221102.tif 000002
【特許請求の範囲】
【請求項１】
主動の特定可動役物と前記特定可動役物に従動の１又は複数の非特定可動役物とを含む複数の可動役物と、
前記特定可動役物を第１位置と第２位置とに亙って移動駆動する駆動機構と、
前記複数の可動役物の動作パターンを切換える動作切換機構とを備え、
前記動作切換機構は、
前記駆動機構により前記複数の可動役物を前記第１位置と前記第２位置間で一体的に移動可能にする第１状態と、
前記駆動機構により前記特定可動役物を前記第１位置から前記第２位置へ移動させる際に、前記１又は複数の非特定可動役物を前記第１位置と前記第２位置間の１又は複数の途中位置に停止させ前記特定可動役物から分離可能にする第２状態とに切換え可能に構成されたことを特徴とする遊技機。
【請求項２】
前記動作切換機構は、
前記複数の可動役物を前記第１位置に係止可能にする第３状態に切換え可能であり、前記第３状態の係止を解除して前記第１，第２状態の何れかに切換え可能に構成されたことを特徴とする請求項１に記載の遊技機。
【請求項３】
前記複数の可動役物に、これら複数の可動役物を互いに連結解除可能に連結する連結機構を設け、
前記動作切換機構が、前記第２状態において前記複数の可動役物を前記第１位置から前記第２位置の方へ移動させる際に、前記複数の可動役物を分離可能に前記連結機構による連結を解除することを特徴とする請求項１又は２に記載の遊技機。
【発明の詳細な説明】
【技術分野】
【０００１】
本発明は遊技機に関し、特に可動役物を動作させる技術に関する。
【背景技術】
【０００２】
従来、パチンコ遊技機等の遊技機には、遊技性、並びに遊技興趣を高めるために、遊技演出を行う演出装置が設けられている。近年主流の機種では、演出装置として、様々な演出画像（主に動画）を表示させる画像表示装置が設けられているが、その他に、可動に設けられた可動役物と、この可動役物を移動駆動する駆動機構とを備えた可動役物装置；所謂ギミック（例えば、特許文献１参照）が公知である。
【０００３】
特許文献１の可動役物装置では、駆動機構により第１シャッタを、液晶画面の側方の退避位置と、液晶画面の半分を遮蔽する第１遮蔽位置と、液晶画面の他の半分を遮蔽する第２遮蔽位置とに亙って移動させ、第２シャッタが退避位置と第１遮蔽位置とに亙って移動可能に、第１シャッタに連動連結されている。
【０００４】
第１，第２シャッタが共に退避位置にあるときからは、先ず、第１シャッタが単独で第１遮蔽位置へ移動し、次に、第１シャッタが第１遮蔽位置から第２遮蔽位置へ移動するときに、第２シャッタを引連れて第１遮蔽位置へ移動させる。第１シャッタが第２遮蔽位置にあり第２シャッタが第１遮蔽位置にあるときからは、先ず、第１シャッタが単独で第１遮蔽位置へ移動し、次に、第１シャッタが第１遮蔽位置から退避位置へ移動するときに、第２シャッタを引連れて退避位置へ移動させる。
【先行技術文献】
【特許文献】
【０００５】
【特許文献１】特開２０１０−２２０８８４公報
【発明の概要】
【発明が解決しようとする課題】
【０００６】
特許文献１の可動役物装置では、駆動機構により第１シャッタを退避位置から第２遮蔽位置へ移動させる際の、第１，第２シャッタの動作パターンは１つであり、また、第１シャッタを第２遮蔽位置から退避位置へ移動させる際の、第１，第２シャッタの動作パターンも１つであり、多彩な役物動作を実現できない。
【０００７】
本発明は上記課題を改善できる遊技機を提供することである。
【課題を解決するための手段】
【０００８】
第１の発明は、主動の特定可動役物(32)と前記特定可動役物(32)に従動の１又は複数の非特定可動役物(33,34) とを含む複数の可動役物(32,33,34)と、前記特定可動役物(32)を第１位置(P1)と第２位置(P2)とに亙って移動駆動する駆動機構(35)と、前記複数の可動役物(32,33,34)の動作パターンを切換える動作切換機構(36)とを備え、前記動作切換機構(36)は、前記駆動機構(35)により前記複数の可動役物(32,33,34)を前記第１位置(P1)と前記第２位置(P2)間で一体的に移動可能にする第１状態と、前記駆動機構(35)により前記特定可動役物(32)を前記第１位置(P1)から前記第２位置(P2)へ移動させる際に、前記１又は複数の非特定可動役物(33,34) を前記第１位置(P1)と前記第２位置(P2)間の１又は複数の途中位置(Pw1,Pw2) に停止させ前記特定可動役物(32)から分離可能にする第２状態とに切換え可能に構成されたことを特徴とする。
【０００９】
第２の発明は、第１の発明において、前記動作切換機構(36)は、前記複数の可動役物(32,33,34)を前記第１位置(P1)に係止可能にする第３状態に切換え可能であり、前記第３状態の係止を解除して前記第１，第２状態の何れかに切換え可能に構成されたことを特徴とする。
【００１０】
第３の発明の発明は、第１又は第２の発明において、前記複数の可動役物(32,33,34)に、これら複数の可動役物(32,33,34)を互いに連結解除可能に連結する連結機構(40)を設け、前記動作切換機構(36)が、前記第２状態において前記複数の可動役物(32,33,34)を前記第１位置(P1)から前記第２位置(P2)の方へ移動させる際に、前記複数の可動役物(32,33,34)を分離可能に前記連結機構(40)による連結を解除することを特徴とする。
【発明の効果】
【００１１】
本発明によれば、多彩な役物動作を実現することができる。
【図面の簡単な説明】
【００１２】
【図１】本発明の実施例に係るパチンコ遊技機の正面図である。
【図２】遊技盤（第１，第２，第３可動役物が第１位置）の正面図である。
【図３】遊技盤（第１，第２，第３可動役物が第２位置）の正面図である。
【図４】遊技盤（第１可動役物が第２位置、第２可動役物が第２途中位置、第３可動役物が第１途中位置）の正面図である。
【図５】パチンコ遊技機の制御系のブロック図である。
【図６】可動役物装置の前面側の斜視図である。
【図７】可動役物装置の後面側の斜視図である。
【図８】可動役物装置の左側面図である。
【図９】第１，第２，第３可動役物の前面側の斜視図である。
【図１０】第１，第２，第３可動役物の後面側の斜視図である。
【図１１】第１，第２，第３可動役物の前面側の分解斜視図である。
【図１２】第１，第２，第３可動役物の後面側の分解斜視図である。
【図１３】駆動機構の前面側の斜視図である。
【図１４】駆動機構の後面側の斜視図である。
【図１５】動作切換機構の後面側の斜視図である。
【図１６】動作切換機構の後面側の斜視図である。
【図１７】切換ユニットの前面側の斜視図である。
【図１８】切換ユニットの正面図である。
【図１９】切換部材の前面側の斜視図である。
【図２０】切換部材の平面図である。
【図２１】動作切換機構の第１状態を示す図である。
【図２２】動作切換機構の第２状態（第１可動役物が第１途中位置）を示す図である。
【図２３】動作切換機構の第２状態（第１可動役物が第２途中位置）を示す図である。
【図２４】動作切換機構の第２状態（第１可動役物が第２位置）を示す図である。
【図２５】動作切換機構の第３状態を示す図である。
【発明を実施するための形態】
【００１３】
以下、発明を実施するための形態について実施例に基づいて説明する。
【実施例】
【００１４】
図１〜図４に示すように、パチンコ遊技機１には、遊技ホールの島構造に取付けられる外枠（図示略）に開閉枠２（内枠２）が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部に、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１５】
開閉扉３には、窓３ａの下側に遊技球を貯留する上皿５ａと下皿５ｂとを有する皿ユニット５が設けられ、その皿ユニット５に遊技者が操作可能な演出ボタンＳＷ６（「ＳＷ」はスイッチを意味する）と発射ハンドル７とが装着されている。発射ハンドル７が回動操作されると、上皿５ａから発射位置に導入された遊技球が発射され、上皿５ａに複数の遊技球が貯留されている場合には、複数の遊技球が約0.6 秒間隔で連続発射される。発射された遊技球はガイドレール８で案内され遊技領域４ａの上部に導入される。
【００１６】
図２〜図５に示すように、遊技領域４ａには、多数の障害釘４ｂの他に、非開閉式の第１始動口１０と、開閉式の第２始動口１１ａを有する始動口装置１１と、ゲート１２と、開閉式の大入賞口１３ａを有する大入賞口装置１３と、複数（４つ）の一般入賞口１４とが、夫々遊技球が通過（入賞）可能に図示の配置で設けられている。第１始動口１０、ゲート１２、複数の一般入賞口１４には、夫々、そこに入賞した遊技球を検出する第１始動口ＳＷ１０ａ、ゲートＳＷ１２ａ、複数の一般入賞口ＳＷ１４ａが付設されている。
【００１７】
始動口装置１１は、第２始動口１１ａと、第２始動口１１ａを開閉する開閉部材１１ｂと、第２始動口１１ａに入賞した遊技球を検出する第２始動口ＳＷ１１ｃと、開閉部材１１ｂを開閉駆動する第２始動口ＳＯＬ１１ｄ（「ＳＯＬ」はソレノイドアクチュエータを意味する）とを有し、第２始動口１１ａは、通常は遊技球が入賞し難い（入賞不可能な）閉状態になり、この閉状態と遊技球が入賞し易い開状態とに作動し得る。
【００１８】
大入賞口装置１３は、大入賞口１３ａと、大入賞口１３ａを開閉する開閉部材１３ｂと、大入賞口１３ａに入賞した遊技球を検出する大入賞口ＳＷ１３ｃと、開閉部材１３ｂを開閉駆動する大入賞口ＳＯＬ１３ｄとを有し、大入賞口１３ａは、通常は遊技球が入賞し難い（入賞不可能な）閉状態になり、この閉状態と遊技球が入賞し易い開状態とに作動し得る。
【００１９】
遊技領域４ａに発射された遊技球が、入賞口１０，１１ａ，１３ａ，１４の何れかに入賞した場合、遊技球１個の入賞につき入賞口１０，１１ａ，１３ａ，１４毎に設定された数（数個〜10数個）の遊技球が賞球として上皿５ａに払出され、上皿５ａが遊技球で満杯の場合には下皿５ｂに払出される。遊技球が入賞口１０，１１ａ，１３ａ，１４の何れにも入賞しなかった場合、最終的に排出口９から遊技領域４ａの外部へ排出される。
【００２０】
遊技球が始動口１０，１１ａに入賞した場合には大当り抽選が行われ、その大当り抽選で当選すると、大入賞口１３ａが開放する特別遊技（大当り遊技）が発生し、遊技球がゲート１２を通過した場合には当り抽選が行われ、その当り抽選で当選すると、第２始動口１１ａが開放する補助遊技が発生する。
【００２１】
遊技盤４にはセンタ役物１５が取付けられ、このセンタ役物１５に遊技演出用の画像表示装置１６と本願特有の可動役物装置１７とが装備されている。センタ役物１５は、その枠体１５ａが遊技盤４に比較的大きく形成されたセンタ開口部（図示略）に嵌合装着され、その枠体１５ａの下部には遊技球が転動するステージ１５ｂが形成されている。画像表示装置１６は、その画面をパチンコ遊技機１の前側からセンタ役物１５の枠体１５ａの内側を通して視認可能に配置されている。
【００２２】
遊技盤４の左下部に遊技表示盤１９が設けられ、この遊技表示盤１９は、第１特図表示器１９ａ、第２特図表示器１９ｂ、普図表示器１９ｃ、第１特図保留ランプ１９ｄ、第２特図保留ランプ１９ｅ、普図保留ランプ１９ｆを備えている。
【００２３】
第１特図表示器１９ａには第１特別図柄が変動可能に表示され、第１特図保留ランプ１９ｄには第１特図保留数が表示され、その第１特図保留数は４未満の場合に第１始動口１０に遊技球が入賞する毎に１加算される。第２特図表示器１９ｂには第２特別図柄が変動可能に表示され、第２特図保留ランプ１９ｅには第２特図保留数が表示され、その第２特図保留数は４未満の場合に第２始動口１１ａに遊技球が入賞する毎に１加算される。
【００２４】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第１特図保留数に関わらず、第２特図保留数が１減算されて第２特別図柄が変動開始され、その後の停止図柄で大当り抽選の結果が表示される。
【００２５】
普図表示器１９ｃには普通図柄が変動可能に表示され、普図保留ランプ１９ｆには普図保留数が表示され、その普図保留数は４未満の場合にゲート１２を遊技球が通過する毎に１加算される。普通図柄が変動停止状態で、普図保留数が１以上の場合、普図保留数が１減算されて普通図柄が変動開始され、その後の停止図柄で当り抽選の結果が表示される。
【００２６】
画像表示装置１６には、特図表示器１９ａ，１９ｂに特別図柄が変動表示されているときには、大当り抽選で当選する期待度を示唆する図柄変動演出が表示され、特別遊技が行われているときには、特別遊技を盛り上げる特別遊技演出が表示される。
【００２７】
パチンコ遊技機１の制御系について説明する。
図５に示すように、制御装置２０は、遊技制御基板２１、払出制御基板２２、演出制御基板２３、画像制御基板２４、ランプ制御基板２５を備え、これら制御基板２１〜２５に夫々ＣＰＵとＲＯＭとＲＡＭを含むコンピュータを備えて構成され、演出制御基板２３は更にＲＴＣ（「ＲＴＣ」はリアルタイムクロックを意味する）を備えている。
【００２８】
遊技制御基板２１のコンピュータは、第１，第２始動口ＳＷ１０ａ，１１ｃ、ゲートＳＷ１２ａ、大入賞口ＳＷ１３ｃ、複数の一般入賞口ＳＷ１４ａからの信号、払出制御基板２２からの制御情報（コマンド）を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２２、演出制御基板２３に制御情報を出力する。
【００２９】
払出制御基板２２のコンピュータは、遊技制御基板２１からの制御情報、払出球検出ＳＷ２６ｂ、球有り検出ＳＷ２６ｃ、満タン検出ＳＷ２６ｄからの信号を受けて、払出モータ２６ａを制御し、遊技制御基板２１に制御情報を出力する。演出制御基板２３のコンピュータは、遊技制御基板２１、画像制御基板２４、ランプ制御基板２５からの制御情報、演出ボタンＳＷ６からの信号を受けて、画像制御基板２４、ランプ制御基板２５に制御情報を出力する。
【００３０】
画像制御基板２４のコンピュータは、演出制御基板２３からの制御情報を受けて、画像表示装置１６、スピーカ２７を制御し、演出制御基板２３に制御情報を出力する。ランプ制御基板２５のコンピュータは、可動役物装置１７（後述の原点ＳＷ）からの信号、演出制御基板２３からの制御情報を受けて、可動役物装置１７（後述の電動モータ）、枠ランプ２８ａ、盤ランプ２８ｂを制御し、演出制御基板２３に制御情報を出力する。
【００３１】
可動役物装置１７について詳細に説明する。
図２〜４に示すように、可動役物装置１７は、画像表示装置１６の画面と同様に、パチンコ遊技機１の前側からセンタ役物１５の枠体１５ａの内側を通して、或いは枠体１５ａの内側において視認可能に配置されている。
【００３２】
図６〜１６に示すように、可動役物装置１７は、センタ役物１５（又は遊技盤４）に固定された左役物ベース３０及び右役物ベース３１と、左右の役物ベース３０，３１に可動に装着された３つの可動役物３２，３３，３４とを備え、３つの可動役物３２，３３，３４は、主動の第１可動役物３２（特定可動役物３２）と第１可動役物３２に従動の第２，第３可動役物３３，３４（２つの非特定可動役物３３，３４）とを含んでいる。
【００３３】
可動役物装置１７は、更に、第１可動役物３２を第１位置Ｐ１（図２）と第２位置Ｐ２（図３、図４）とに亙って上下方向へ移動駆動する駆動機構３５と、第１，第２，第３可動役物３２，３３，３４の動作パターンを切換える動作切換機構３６とを備えている。
【００３４】
左右の役物ベース３０，３１について説明する。
図６、図７に示すように、左右の役物ベース３０，３１は、画像表示装置１６の左右両側においてセンタ役物１５又は遊技盤４の後側に隠れるように配置されている。左役物ベース３０には、上下方向へ延びる２本の左ガイドロッド３０ａ，３０ｂ、駆動機構３５、動作切換機構３６の主要部が取付けられ、右役物ベース３１には、上下方向へ延びる１本の右ガイドロッド３１ａが取付けられている。
【００３５】
第１，第２，第３可動役物３２，３３，３４について説明する。
図６〜図１２に示すように、第１，第２，第３可動役物３２，３３，３４は、夫々、左右方向へ長く形成され、左端部が左ガイドロッド３０ａ，３０ｂに上下方向へ移動自在にガイドされ、右端部が右ガイドロッド３１ａに上下方向へ移動自在にガイドされている。
【００３６】
第１可動役物３２は、プレート状の第１役物本体３２ａと、第１役物本体３２ａから左方へ延びる第１左連結部材３２ｂと、第１役物本体３２ａから右方へ延びる第１右連結部材３２ｃと、第１左連結部材３２ｂの左端部に固定されて左ガイドロッド３０ａ，３０ｂにガイドされる第１左スライダ３２ｄと、第１右連結部材３２ｃの右端部に固定されて右ガイドロッド３１ａにガイドされる第１右スライダ３２ｅとを有する。
【００３７】
第２，第３可動役物３３，３４は、夫々、第１可動役物３２と基本的に同様に構成され、第２，第３役物本体３３ａ，３４ａと、第２，第３左連結部材３３ｂ，３４ｂと、第２，第３右連結部材３３ｃ，３４ｃと、第２，第３左スライダ３３ｄ，３４ｄと、第２，第３右スライダ３３ｅ，３４ｅとを有する。
【００３８】
第１，第２，第３役物本体３２ａ，３３ａ，３４ａは、画像表示装置１６の画面の左右長と略同じ左右長を有し、画像表示装置１６の画面の前側を移動可能に、且つ互いに前後に重なり得るように配置されている。例えば、第１役物本体３２ａには所定のロゴマークが形成され、第２役物本体３３ａには口を含む顔下部が形成され、第３役物本体３４ａには鼻を含む顔中央部が形成されている。
【００３９】
第１左スライダ３２ｄは正面視Ｌ字形に形成され、第２左スライダ３３ｄは正面視逆コ字形に形成され、第３左スライダ３４ｄは正面視逆Ｌ字形に形成され、第１左スライダ３２ｄに第２左スライダ３３ｄが上側から係合可能であり、第２左スライダ３３ｄに第３左スライダ３４ｄが上側から係合可能である。
【００４０】
第２左スライダ３３ｄが第１左スライダ３２ｄに係合すると、第１左スライダ３２ｄに対して相対的に下方へ移動不能になり、第１役物本体３２ａの後側に第２役物本体３３ａが重なって、第１，第２可動役物３２，３３が合体状態になる。第３左スライダ３４ｄが第２左スライダ３３ｄに係合すると、第２左スライダ３３ｄに対して相対的に下方へ移動不能になり、第２役物本体３３ａの後側に第３役物本体３４ａが重なって、第２，第３可動役物３３，３４が合体状態になる。
【００４１】
第１右スライダ３２ｅには１対の鍔付きコロ３２ｅ１が装着され、この１対の鍔付きコロ３２ｅ１が右ガイドロッド３１ａを挟持状に転動可能に係合している。第２，第３右スライダ３３ｅ，３４ｅには、第１右スライダ３２ｅと同様に、１対の鍔付きコロ３３ｅ１，３４ｅ１が夫々装着されている。
【００４２】
図１０、図１２、図１５、図１６に示すように、第１，第２，第３可動役物３２，３３，３４には、これら可動役物３２，３３，３４を互いに連結解除可能に連結する連結機構４０が設けられている。この連結機構４０は、第２左スライダ３３ｄに連結位置と連結解除位置とに亙って前後方向へ可動に装着された連結部材４１と、この連結部材４１を連結位置（後方）へ付勢するバネ部材（図示略）とを有する。
【００４３】
連結部材４１には、上下２つの第１，第２係合部４１ａ，４１ｂと、この第１，第２係合部４１ａ，４１ｂの間に位置する被操作部４１ｃとが、第２左スライダ３３ｄから後方へ突出可能に設けられている。第１，第２可動役物３２，３３が合体状態のときに、第２係合部４１ｂがその後側に位置する第１左スライダ３２ｄの第２係合穴４２ｂに係合可能になり、第２，第３可動役物３３，３４が合体状態のときに、第１係合部４１ａがその後側に位置する第３左スライダ３４ｄの第１係合穴４２ａに係合可能になる。
【００４４】
連結部材４１が連結位置のとき、第１，第２係合部４１ａ，４１ｂが第１，第２係合穴４２ａ，４２ｂに夫々係合して、第１，第２，第３可動役物３２，３３，３４が互いに連結されて合体状態に保持される。この状態から、連結部材４１が被操作部４１ｃから連結解除位置に操作されると、第１，第２係合部４１ａ，４１ｂが第１，第２係合穴４２ａ，４２ｂから夫々係合解除して、第１，第２，第３可動役物３２，３３，３４が互いに連結解除されて分離可能になる。
【００４５】
駆動機構３５について説明する。
図６〜図８、図１３、図１４に示すように、駆動機構３５は、左役物ベース３０に固定された電動モータ５０と、電動モータ５０の出力軸５０ａに固着された駆動ギヤ５１と、駆動ギヤ５１に噛合して左役物ベース３０に回転自在に支持された中間ギヤ５２と、中間ギヤ５２に噛合して左役物ベース３０に回転自在に支持された従動ギヤ５３と、従動ギヤ５３に噛合するラック５４ａを有する可動ラック部材５４とを有する。
【００４６】
駆動機構３５は、更に、左役物ベース３０に取付けられ可動ラック部材５４を上下方向へ移動自在にガイドする２本の案内軸５５ａ，５５ｂと、可動ラック部材５４を常時上方へ付勢する引張バネ５６と、可動ラック部材５４に回転自在に支持された可動ギヤ５７と、左役物ベース３０に設けられ可動ギヤ５７に噛合する固定側のラック５８と、第１左スライダ３２ｄに設けられ可動ギヤ５７に噛合する可動側のラック５９とを有する。
【００４７】
電動モータ５０が駆動されると、ギヤ５１〜５３とラック５４ａにより、可動ラック部材５４が上下動され、これにより、ギヤ５７とラック５８，５９により、第１左スライダ３２ｄ、即ち第１可動役物３２が、可動ラック部材５４の移動方向と同方向へ且つ可動ラック部材５４の移動量の２倍の移動量上下動される。このように、駆動機構３５は、第１可動役物３２を直接的に移動駆動し、第１可動役物３２を介して第１可動役物３２と合体状態の第２，第３可動役物３３，３４を移動駆動することができる。
【００４８】
２本の左ガイドロッド３０ａ，３０ｂの下端部には、１対の圧縮バネ６０が夫々外装されるとともに、この１対の圧縮バネ６０により上方へ付勢される付勢部材６１が上下方向へ移動自在に装着されている。付勢部材６１は、ガイドロッド３０ａ，３０ｂの下端から一定距離離れると、それ以上は上方へ移動しないように左役物ベース３０に係止される。
【００４９】
第１可動役物３２が第１位置Ｐ１から第２位置Ｐ２へ移動すると、その第２位置Ｐ２の上方近傍位置から、付勢部材６１が第１左スライダ３２ｄに当接して下方へ押動されることで、第１左スライダ３２ｄに１対の圧縮バネ６０による上向きの付勢力が入力され、つまり、第１可動役物３２が１対の圧縮バネ６１により上方へ付勢される。
【００５０】
動作切換機構３６について説明する。
図７、図１５〜図２５に示すように、動作切換機構３６は、駆動機構３５により第１，第２，第３可動役物３２，３３，３４を第１位置Ｐ１と第２位置Ｐ２間で一体的に上下移動可能にする第１状態（図２１）と、駆動機構３５により第１可動役物３２を第１位置Ｐ１から第２位置Ｐ２へ下方移動させる際に、第２，第３可動役物３３，３４を第１位置Ｐ１と第２位置Ｐ２間の第１，第２途中位置Ｐｗ１，Ｐｗ２（２つの途中位置Ｐｗ１，Ｐｗ２）に停止させ第１可動役物３２から分離可能にする第２状態（図２２、図２３、図２４）とに切換え可能に構成されている。
【００５１】
動作切換機構３６は、第２状態において、詳しくは、駆動機構３５により第１可動役物３２を第１位置Ｐ１→第１途中位置Ｐｗ１→第２途中位置Ｐｗ２→第２位置Ｐ２へと下方移動させる際に、連結機構４０により連結された第１，第２，第３可動役物３２，３３，３４を一体的に第１位置Ｐ１→第１途中位置Ｐｗ１へと下方移動させ、第１途中位置Ｐｗ１において連結機構４０による第１，第２，第３可動役物３２，３３，３４の連結を解除して、第３可動役物３４を第１途中位置Ｐｗ１に停止させる（図２２）。
【００５２】
次に、第１，第２可動役物３２，３３を一体的に第１途中位置Ｐｗ１→第２途中位置Ｐｗ２へと下方移動させ、これにより、第３可動役物３４を第１，第２可動役物３２，３３から分離させ、第１途中位置Ｐｗ１からの下方移動開始直後に連結機構４０により第１，第２可動役物３２，３３を連結させてから、第２途中位置Ｐｗ２において連結機構４０による第１，第２可動役物３２，３３の連結を解除して、第２可動役物３３を第２途中位置Ｐｗ２に停止させる（図２３）。最後に、第１可動役物３２を単独で第２途中位置Ｐｗ２→第２置Ｐ２へと下方移動させ（図２４）、これにより、第２可動役物３３を第１可動役物３２から分離させる。
【００５３】
また、動作切換機構３６は、第２状態において、詳しくは、駆動機構３５により第１可動役物３２を第２位置Ｐ２→第２途中位置Ｐｗ２→第１途中位置Ｐｗ１→第１位置Ｐ１へと上方移動させる際に、先ず、第１可動役物３２を単独で第２位置Ｐ２→第２途中位置Ｐｗ２へと上方移動させ、第２途中位置Ｐｗ２において第１，第２可動役物３２，３３を合体させる（図２３）。
【００５４】
次に、第１，第２可動役物３２，３３を一体的に第２途中位置Ｐｗ２→第１途中位置Ｐｗ１へと上方移動させ、第２途中位置Ｐｗ２からの上方移動開始直後に連結機構４０により第１，第２可動役物３２，３３を連結させてから、第１途中位置Ｐｗ１において連結機構４０による第１，第２可動役物３２，３３の連結を解除すると共に、第１，第２，第３可動役物３２，３３，３４を合体させる（図２２）。最後に、第１，第２，第３可動役物３２，３３，３４を一体的に第１途中位置Ｐｗ１→第１位置Ｐ１へと上方移動させ、第１途中位置Ｐｗ１からの上方移動開始直後に連結機構４０により第１，第２，第３可動役物３２，３３，３４を連結させる。
【００５５】
動作切換機構３６は、更に、第１，第２，第３可動役物３２，３３，３４を第１位置Ｐ１に係止可能にする第３状態（図２５）に切換え可能であり、この第３状態の係止を解除して第１，第２状態の何れかに切換え可能に構成されている。
【００５６】
ここで、図８に示すように、駆動機構３５の可動ラック部材５４には、可動プレート６５が固定され、この可動プレート６５に４つの遮蔽板６６が上下方向に間隔を空けて設けられている。一方、左役物ベース３０には、３つの光学センサ６７（原点ＳＷ６７）が、夫々、４つの遮蔽板６６の少なくとも１つを検出可能に取付けられている。３つの光学センサ６７の検出・非検出のパターンにより、第１可動役物３２の第１位置Ｐ１、第１途中位置Ｐｗ１、第２途中位置Ｐｗ２、第２位置Ｐ２を検知可能に構成されている。
【００５７】
動作切換機構３６の詳細な構造・機能について説明する。
図７、図１５〜図２５に示すように、動作切換機構３６は、左役物ベース３０に取付けられた切換ユニット３７を備え、その切換ユニット３７は、左役物ベース３０に固定されたケース７０と、このケース７０に鉛直の軸部材７１ａを介して回動自在に支持され第１，第２，第３左スライダ３２ｄ，３３ｄ，３４ｄの近傍に配置された切換部材７１と、切換部材７１を９０度に亙って回動させる回動駆動機構７２とを有し、この回動駆動機構７２により切換えられた切換部材７１の回動位置によって、第１状態、第２状態、第３状態の何れかに択一的に切換える。
【００５８】
回動駆動機構７２は、ケースに固定された電動モータ７５と、電動モータ７５の駆動力を切換部材７１に伝達して切換部材７１を回動させるギヤ列７６とを有し、軸部材７１ａには切換部材７１を平面視にて反時計回り方向へ付勢して回動駆動機構７２のバックラッシュを吸収する捩じりバネ７７が外装されている。
【００５９】
この回動駆動機構７２により、図２０（１）に示すように、切換部材７１が平面視にて時計回り方向へ最大限回動した第１回動位置Ｑ１に切換えられると第１状態になり、図２０（２）に示すように、切換部材７１が平面視にて反時計回り方向へ最大限回動した第２回動位置Ｑ２に切換えられると第２状態になり、図２０（３）に示すように、切換部材７１が第１，第２回動位置Ｑ１，Ｑ２間の第３回動位置Ｑ３に切換えられると第３状態になる。尚、この切換部材７１の回動位置の切換えは、基本的に、第１，第２，第３可動役物３２，３３，３４が第１位置Ｐ１にあるときに行われる。
【００６０】
ここで、切換部材７１には、セクター形状の第１，第２遮蔽板８０ａ，８１ａが設けられ、第１遮蔽板８０ａにはスリット８０ｂが形成されている。発光部及び受光部を有する第１光学センサ８０（原点ＳＷ８０）が第１遮蔽板８０ａを挟むように、また、発光部及び受光部を有する第２光学センサ８１（原点ＳＷ８１）が第２遮蔽板８１ａを挟むように、夫々ケース７０に取付けられている。
【００６１】
第１光学センサ８０がオフ（第１遮蔽板８０ａで遮蔽）になり、第２光学センサ８１がオンになって、第１回動位置Ｑ１を検知し、第１，第２光学センサ８０，８１が共にオンになって、第２回動位置Ｑ２を検知し、第１光学センサ８０がオンになり、第２光学センサ８１がオフ（第２遮蔽板８１ａで遮蔽）になって、第３回動位置Ｑ３を検知する。
【００６２】
切換部材７１には、第１受止部９０、第２受止部９１、第３受止部９２、第１操作部９３、第２操作部９４が設けられ、一方、第１左スライダ３２ａには、第１受止部９０に上側から係合可能な第１係合部９５が設けられ、第２左スライダ３３ａには、第２受止部９１に上側から係合可能な第２係合部９６が設けられ、第３左スライダ３４ａには、第３受止部９２に上側から係合可能な第３係合部９７が設けられ（図１０、図１２等も参照）、第１，第２操作部９３，９４は、夫々連結部材４１の被操作部４１ｃを操作可能である。
【００６３】
図２０（１）、図２１に示すように、切換部材７１が第１回動位置Ｑ１に切換えられた第１状態では、切換部材７１の第１，第２，第３受止部９０，９１，９２が、夫々第１，第２，第３係合部９５，９６，９７の移動軌跡上から退いた状態に、第１，第２操作部９３，９４が、連結部材４１の被操作部４１ｃの移動軌跡上から退いた状態になる。従って、第１，第２，第３可動役物３２，３３，３４を、第１位置Ｐ１と第２位置Ｐ２間にいて連結機構４０により互い連結した状態に保持して一体的に上下動させることができる。
【００６４】
図２０（２）、図２２〜図２４に示すように、切換部材７１が第２回動位置Ｑ２に切換えられた第２状態では、切換部材７１の第１受止部９０が、第１係合部９５の移動軌跡上から退いた状態に、切換部材７１の第２，第３受止部９１，９２が、夫々第２，第３係合部９６，９７の移動軌跡上に張出した状態になる。
【００６５】
従って、第１可動役物３２を第１位置Ｐ１と第２位置Ｐ２間にいて上下動させることができ、第１位置Ｐ１から第２位置Ｐ２へ下方移動させる際、第１途中位置Ｐｗ１において、第３係合部９７を第３受止部９２に係合させて、第３可動役物３４を停止させ（図２２）、第２途中位置Ｐｗ２において、第２係合部９６を第２受止部９１に係合させて、第２可動役物３３を停止させることができる（図２３）。
【００６６】
ここで、第３受止部９２と第３係合部９７が、第２状態のときに第３可動役物３４を第１途中位置Ｐｗ１に停止させる第１途中位置停止機構を構成し、第２受止部９１と第２係合部９６が、第２状態のときに第２可動役物３３を第２途中位置Ｐｗ２に停止させる第２途中位置停止機構を構成している。
【００６７】
また、第２状態では、第１，第２操作部９３，９４が、連結部材４１の被操作部４１ｃの移動軌跡上に張出した状態になる。従って、第１可動役物３２を第１位置Ｐ１から第２位置Ｐ２へ下方移動させる際、第１途中位置Ｐｗ１において、被操作部４１ｃが第１操作部９３により操作されて（図２２）、連結機構４０による連結を解除させ、故に、第３可動役物３４を停止させて、第１，第２可動役物３２，３３から分離させることができ、第２途中位置Ｐｗ２において、被操作部４１ｃが第２操作部９４により操作されて（図２３）、連結機構４０による連結を解除させ、故に、第２可動役物３３を停止させて、第１可動役物３２から分離させることができる。
【００６８】
ここで、被操作部４１ｃと第１操作部９３が、第２状態のときに第１途中位置Ｐｗ１において連結機構４０による連結を解除する第１途中位置連結解除機構を構成し、被操作部４１ｃと第２操作部９４が、第２状態のときに第２途中位置Ｐｗ２において連結機構４０による連結を解除する第２途中位置連結解除機構を構成している。
【００６９】
第１，第２操作部９３，９４について詳しく説明すると、図１９、図２２〜図２４に示すように、第１操作部９３は、上傾斜部９３ａ、頂部９３ｂ、下傾斜部９３ｃを有し、第２操作部９４は、上傾斜部９４ａ、頂部９４ｂを有する。
【００７０】
図２２に示すように、第２状態において、下方移動する被操作部４１ｃは、第１操作部９３の上傾斜部９３ａに係合して前方へ移動され、頂部９３ｂに係合することで連結機構４０による連結が完全に解除され、ここで、第３可動役物３４が第１途中位置Ｐｗ１になり、第１，第２可動役物３２，３３から分離させられる。その後、下方移動する被操作部４１ｃは、第１操作部９３の下傾斜部９３ｃに係合して後方へ移動され、同じく一体的に下方移動する第１，第２可動役物３２，３３が連結機構４０により連結される。
【００７１】
また、図２３に示すように、下方移動する被操作部４１ｃは、第２操作部９４の上傾斜部９４ａに係合して前方へ移動され、頂部９４ｂに係合することで連結機構４０による連結が完全に解除され、ここで、第２可動役物３３が第２途中位置Ｐｗ２になり、第１可動役物３２から分離させられ、被操作部４１ｃは頂部９４ｂに係合した状態で停止する。
【００７２】
一方、図２３に示すように、上方移動する被操作部４１ｃは、第２操作部９４の頂部９４ｂに係合した状態から、上傾斜部９４ａに係合して後方へ移動され、同じく一体的に上方移動する第１，第２可動役物３２，３３が連結機構４０により連結される。
【００７３】
また、図２２に示すように、上方移動する被操作部４１ｃは、第１操作部９３の下傾斜部９３ｃに係合して前方へ移動され、頂部９３ｂに係合することで連結機構４０による連結が完全に解除され、その後、上方移動する被操作部４１ｃは、第１操作部９３の上傾斜部９３ａに係合して後方へ移動され、同じく一体的に上方移動する第１，第２，第３可動役物３２，３３，３４が連結機構４０により連結される。
【００７４】
ところで、図２〜図４に示すように、画像表示装置１６には、その画面の外周近傍を枠状に覆う装飾部材１８が装着されている。この装飾部材１８の上部に、画像表示装置１６の画面の一部を露出させる２つの表示穴１８ａが形成され、装飾部材１８とその２つの表示穴１８ａから表示される画像表示装置１６による画像、更には可動役物装置１７との協働により特定の遊技演出を行わせるように構成されている。
【００７５】
具体的に、装飾部材１８の２つの表示穴１８ａは２つの目玉の輪郭を形成し、第１，第２，第３可動役物３２，３３，３４が第１位置Ｐ１にあるとき、その後側に２つの表示穴１８ａを隠蔽し、第１，第２，第３可動役物３２，３３，３４が第１位置Ｐ１から下方移動すると、２つの表示穴１８ａを露出させる。
【００７６】
第２状態において、第１可動役物３２を第２位置Ｐ２へ移動させることで、第２役物本体３３ａが第２途中位置Ｐｗ２に移動停止した状態で口を含む顔下部を形成し、第３役物本体３４ａが第１途中位置Ｐｗ１に移動停止した状態で鼻を含む顔中央部を形成し、そこで、装飾部材１８上部の２つ表示穴１８ａから画像表示装置１６による目玉画像を表示させて、画像表示装置１６の画面前側に展開する顔を形成することができる（図４）。
【００７７】
以上説明した可動役物装置１７の作用・効果について説明する。
通常時には、動作切換機構３６により第３状態（図２５）に切換えられ、第１，第２，第３可動役物３２，３３，３４が第１位置Ｐ１に係止されて、不要に下方移動するのを確実に防止することができる。遊技に応じて何らかの有利さを報知又は示唆する際に、動作切換機構３６により第３状態の係止が解除されて、有利さを獲得できる期待度や有利さの対象等に応じて、第３状態から第１，第２状態の何れかに切換えられる。
【００７８】
そして、動作切換機構３６により第１状態（図２１）に切換えられた状態で、駆動機構３５により、第１可動役物３２が第１位置Ｐ１から第２位置Ｐ２へ駆動され、第２位置Ｐ２から第１位置Ｐ１へ駆動されると、第１，第２，第３可動役物３２，３３，３４が一体的に第１位置Ｐ１から第２位置Ｐ２へ下方移動し、一体的に第２位置Ｐ２から第１位置Ｐ１へ上方移動し、第１，第２，第３役物本体３２ａ，３３ａ，３４ａは、ばらけることなく画像表示装置１６の画面前側を移動する。
【００７９】
動作切換機構３６により第２状態（図２２〜図２４）に切換えられた状態で、駆動機構３５により、第１可動役物３２が第１位置Ｐ１から第２位置Ｐ２へ駆動されると、その過程で、第１，第２，第３可動役物３２，３３，３４は第１位置Ｐ１からは一体的に下方移動するが、第３可動役物３４が第１途中位置Ｐｗ１に停止して、第１，第２可動役物３２，３３から分離し、第２可動役物３３が第２途中位置Ｐｗ２に停止して、第１可動役物３２から分離し、第１，第２，第３役物本体３２ａ，３３ａ，３４ａは、上下にばらけて画像表示装置１６の画面前側に展開する。
【００８０】
また、駆動機構３５により、第１可動役物３２が第２位置Ｐ２から第１位置Ｐ１へ駆動されると、その過程で、第２途中位置Ｐｗ２から第１，第２可動役物３２，３３が一体となって上方移動し、第１途中位置Ｐｗ１から、第１，第２，第３可動役物３２，３３，３４が一体となって上方移動する。
【００８１】
このように、第１可動役物３２を第１位置Ｐ１→第２位置Ｐ２→第１位置Ｐ１へと移動させる際、第１，第２，第３役物本体３２ａ，３３ａ，３４ａを常時一体的に移動させる役物動作（第１状態）と、第１，第２，第３役物本体３２ａ，３３ａ，３４ａを移動途中に分離させばらつかせる役物動作（第２状態）とを適宜切換えるこができるので、斬新な多彩な役物動作を実現することができる。
【００８２】
しかも、第１，第２，第３可動役物３２，３３，３４に、可動役物３２，３３，３４を互いに連結解除可能に連結する連結機構４０を設けたので、第１，第２状態において、連結機構４０により連結された第１，第２，第３可動役物３２，３３，３４を一体的に確実に移動させることが可能になる。
【００８３】
動作切換機構３６が、第２状態において第１，第２，第３可動役物３２，３３，３４を第１位置Ｐ１から第２位置Ｐ２の方へ移動させる際に、可動役物３２，３３，３４を分離可能に連結機構４０による連結を解除するので、第１途中位置Ｐｗ１に停止させた第３可動役物３４を第１，第２可動役物３２，３３から確実に分離でき、第２途中位置Ｐｗ２に停止させた第２可動役物３３を第１可動役物３２から確実に分離できるようになる。
【００８４】
その他、本発明の趣旨を逸脱しない範囲において、前記実施例に種々の変更を付加して実施が可能である。尚、本発明については、その他の種々のパチンコ遊技機、或いは、スロットマシン等の種々の遊技機に適用可能である。
【００８５】
例えば、主動の特定可動役物と、この特定可動役物に従動の１つの非特定可動役物（合計２つの可動役物）を設け、駆動機構により特定可動役物を第１位置と第２位置とに亙って移動駆動し、動作切換機構により、駆動機構により２つの可動役物を第１位置と第２位置間で一体的に移動可能にする第１状態と、駆動機構により特定可動役物を第１位置から第２位置へ移動させる際に、非特定可動役物を第１位置と前記第２位置間の途中位置に停止させ特定可動役物から分離可能にする第２状態とに切換え可能に構成してもよい。
【００８６】
或いは、３つ以上の非特定可動役物（合計４つの可動役物）を設け、動作切換機構により、第２状態において、駆動機構により特定可動役物を第１位置から第２位置へ移動させる際に、３つ以上の非特定可動役物を第１位置と前記第２位置間の３つ以上の途中位置に停止させ特定可動役物から分離可能に構成してもよい。
【符号の説明】
【００８７】
１  パチンコ遊技機
３２  第１可動役物（特定可動役物）
３３  第２可動役物（非特定可動役物）
３４  第３可動役物（非特定可動役物）
３５  駆動機構
３６  動作切換機構
４０  連結機構
Ｐ１  第１位置
Ｐ２  第２位置
Ｐｗ１  上途中位置
Ｐｗ２  下途中位置
【図１】
2014221102.tif 000003
【図２】
2014221102.tif 000004
【図３】
2014221102.tif 000005
【図４】
2014221102.tif 000006
【図５】
2014221102.tif 000007
【図６】
2014221102.tif 000008
【図７】
2014221102.tif 000009
【図８】
2014221102.tif 000010
【図９】
2014221102.tif 000011
【図１０】
2014221102.tif 000012
【図１１】
2014221102.tif 000013
【図１２】
2014221102.tif 000014
【図１３】
2014221102.tif 000015
【図１４】
2014221102.tif 000016
【図１５】
2014221102.tif 000017
【図１６】
2014221102.tif 000018
【図１７】
2014221102.tif 000019
【図１８】
2014221102.tif 000020
【図１９】
2014221102.tif 000021
【図２０】
2014221102.tif 000022
【図２１】
2014221102.tif 000023
【図２２】
2014221102.tif 000024
【図２３】
2014221102.tif 000025
【図２４】
2014221102.tif 000026
【図２５】
2014221102.tif 000027